(57)【特許請求の範囲】
【請求項１】
脱穀装置１の前方に、植立穀稈刈取用の第１刈刃装置２と該第１刈刃装置２によって刈り取った穀稈を脱穀装置１へ供給する搬送装置３とを有する刈取部４を昇降自在に設けた普通型コンバインにおいて、前記第１刈刃装置２で刈り残した残稈を切断する第２刈刃装置５を昇降自在に支持フレーム２７で支持して設け、前記第２刈刃装置５には接地アクチュエータ３２を上下回動自在に取り付け、前記支持フレーム２７には前記接地アクチュエータ３２から連動ロッド３３を介して作動される接地センサ３４を取り付けて構成し、刈取作業中において、接地アクチュエータ３２が中立範囲を越えて上下回動すると、連動ロッド３３を介して接地センサ３４が感知し、接地アクチュエータ３２の回動位置が中立範囲へ復帰するように第２刈刃装置５の昇降調節をするように構成し、さらに、第２刈刃装置自動退避用スイッチ４０を設け、該第２刈刃装置自動退避用スイッチ４０がＯＮした状態で刈取作業を行う場合において、刈取部昇降操作手段６による前記刈取部４の上昇操作が所定時間内に終了すると第２刈刃装置５は上昇せず、刈取部昇降操作手段６による刈取部４の上昇操作が所定時間以上継続して行われると、前記第２刈刃装置５を畦との接触を回避できる程度の高さまで上昇させるように構成したことを特徴とする普通型コンバインの第２刈刃装置。
【発明の詳細な説明】
【０００１】
【産業上の利用分野】
この発明は、普通型コンバインの第２刈刃装置に関するものである。
【０００２】
【従来の技術】
従来より、普通型コンバインにおいては、脱穀装置の前方に、植立穀稈刈取用の第１刈刃装置と該第１刈刃装置によって刈り取った穀稈を脱穀装置へ供給する搬送装置とを有する刈取部を昇降自在に設けた普通型コンバインにおいて、前記第１刈刃装置で刈り残した残稈を切断する第２刈刃装置を昇降自在に設けた構成のものがある。前記刈取部の昇降は、操縦部に設ける刈取部昇降操作レバ−等の刈取部昇降操作手段の操作によって行なわれるものである。
【０００３】
また、このような普通型コンバインによる刈取作業においては、刈取部を比較的高い位置に設定し、該刈取部に設ける第１刈刃装置によって植立穀稈の穂先部を刈り取り、この刈り取った穀稈穂先部を搬送装置によって全量、脱穀装置へ供給して脱穀処理するものである。このような刈取作業において、前記第１刈刃装置によって穂先部を刈り取られた残稈は丈が高く、また、刈取部後方に位置する走行装置によって踏み付けられるため、刈跡の美観を損ねる。更には、残稈の丈が長いため、後の耕耘作業において良好な耕耘状態を得ることができない。
【０００４】
そこで、このような支障に対処するために、前記第１刈刃装置の後方に第２刈刃装置を設け、該第２刈刃装置によって前記第１刈刃装置で刈り残された残稈を株元部から刈り払う構成のものが商品化されている。該第２刈刃装置は、前記刈取部を昇降操作する刈取部昇降操作手段とは別系統で昇降操作されるものであり、また、刈取作業時には前記第１刈刃装置より低位置に設定する必要がある。
【０００５】
一方、前記脱穀装置の扱胴の全周を受網によって包囲する技術としては、実開昭６１−１９１７５２号公報に開示されたものや、実開昭６１−１９１７５３号公報及び特開昭５７−８３２２０号公報に開示されたもののように円筒状の受網を回転駆動する構成のものや、特開昭６２−１５８４２８号公報に開示されたもののように円筒状の受網を回転調節することによって受網の漏下目相を調節可能に構成したものがある。
【０００６】
【発明が解決しようとする課題】
通常の刈取作業においては、圃場の一辺を刈り終ると、刈取部昇降操作手段を操作して刈取部を畦等との衝突を回避できる程度の高さまで上昇させ、しかる後に機体を次の刈取対象方向へ旋回させる。このような旋回時等において、前記第２刈刃装置が作業位置、即ち低位置のままにあると、畦等と接触して破損する恐れがある。従って、このような旋回時等においては、刈取部を上昇させると共に、第２刈刃装置をも畦等との接触を回避できる程度の高さまで上昇させる必要がある。しかしながら、前述のように、刈取部を昇降操作する刈取部昇降操作手段と第２刈刃装置を昇降操作する手段とは別系統であり、両方を共に上昇させるためには、二つの操作手段を一度に操作しなければならない。このような操作は甚だ煩雑であり、特に前述の旋回時等においてはこの旋回操作とも並行して行わねばならず、操縦者の負担が大きく、作業効率の低下を来してしまう。
【０００７】
そこで、この操作の煩雑性を解決するために、前記刈取部昇降操作手段の上昇操作に関連して、前記第２刈刃装置をも上昇させるよう連繋する手段が考えられる。しかしながら、刈取作業中においても前記刈取部昇降操作手段を操作して刈取部の刈取作業高さを微調節することがあり、このため、前記刈取部昇降操作手段の上昇操作に関連して即座に前記第２刈刃装置をも上昇させる構成とした場合には、通常の刈取作業中に前記第２刈刃装置が上昇してしまい、残稈の刈り払いが途絶えてしまう等、円滑な残稈の刈り払いが行えなくなってしまう。
【０００８】
このような問題点を解決しようとするものに、特公平５−６１８８７号公報に開示された技術がある。これは、刈取部が所定レベル以上に上昇した場合に、第２刈刃装置を畦との接触を回避できる程度の対比位置まで上昇させる昇降機構を設けたものである。即ち、刈取部の高さを検出する刈高検出手段を設け、該刈高検出手段による検出結果が所定値以上となったときに、第２刈刃装置を上昇させるものである。
【０００９】
しかしながら、普通型コンバインにおける刈取作業、即ち穀稈穂先部の刈取作業には刈取部の高さを自動制御する不要はない。従って、前述の技術のように刈高検出手段を設けることは、第２刈刃装置を自動上昇させるためだけの構成であり、他の用途がなく、その作用効果に比してコストメリットのないものである。
【００１０】
【課題を解決するための手段】
この発明は、上述の如き課題を解決するために、次の様な技術的手段を講ずる。すなわち、脱穀装置１の前方に、植立穀稈刈取用の第１刈刃装置２と該第１刈刃装置２によって刈り取った穀稈を脱穀装置１へ供給する搬送装置３とを有する刈取部４を昇降自在に設けた普通型コンバインにおいて、前記第１刈刃装置２で刈り残した残稈を切断する第２刈刃装置５を昇降自在に支持フレーム２７で支持して設け、前記第２刈刃装置５には接地アクチュエータ３２を上下回動自在に取り付け、前記支持フレーム２７には前記接地アクチュエータ３２から連動ロッド３３を介して作動される接地センサ３４を取り付けて構成し、刈取作業中において、接地アクチュエータ３２が中立範囲を越えて上下回動すると、連動ロッド３３を介して接地センサ３４が感知し、接地アクチュエータ３２の回動位置が中立範囲へ復帰するように第２刈刃装置５の昇降調節をするように構成し、さらに、第２刈刃装置自動退避用スイッチ４０を設け、該第２刈刃装置自動退避用スイッチ４０がＯＮした状態で刈取作業を行う場合において、刈取部昇降操作手段６による前記刈取部４の上昇操作が所定時間内に終了すると第２刈刃装置５は上昇せず、刈取部昇降操作手段６による刈取部４の上昇操作が所定時間以上継続して行われると、前記第２刈刃装置５を畦との接触を回避できる程度の高さまで上昇させるように構成したことを特徴とする普通型コンバインの第２刈刃装置の構成としたものである。
【００１１】
【発明の作用効果】
この発明の作用効果を普通型コンバインの刈取作業に沿って説明する。刈取作業に際しては、刈取部４を適宜の刈り高さに設定すると共に、第２刈刃装置５を前記刈取部４の第１刈刃装置２より低い位置に設定しておく。この状態で機体を前進させ、圃場に植立する穀稈の穂先部を前記第１刈刃装置２によって刈り取り、この刈り取った穀稈を搬送装置３によって脱穀装置１へ供給して脱穀処理する。脱穀処理後の穀粒は機体に設ける貯留装置に一時貯留され、一方、排藁は細断等の適宜処理を受けて機外へ排出される。また、前記第１刈刃装置２によって穂先部を刈り取られた後の残稈は、第２刈刃装置５によってその株元部を切断され、丈の低い切株となる。この第２刈刃装置５は支持フレーム２７で昇降自在に支持されている。そして、第２刈刃装置５には接地アクチュエータ３２を上下回動自在に取り付け、支持フレーム２７には接地アクチュエータ３２から連動ロッド３３を介して作動される接地センサ３４が取り付けられている。刈取作業中においては、接地アクチュエータ３２が中立範囲を越えて上下回動すると、連動ロッド３３を介して接地センサ３４が感知し、接地アクチュエータ３２の回動位置が中立範囲へ復帰するように第２刈刃装置５の昇降調節をする。
【００１２】
そして、圃場の一辺を刈り終え機体を旋回させる場合等には、刈取部昇降操作手段６を操作して前記刈取部４を非作業位置まで上昇させる。この非作業位置とは、例えば、畦との接触を回避できる程度の高さである。この際、前記刈取部４の上昇速度はその構成上の限界により或る程度のものに制限される。従って、前記刈取部４を非作業位置まで上昇させるには、前記刈取部昇降操作手段６を所定時間以上にわたり上昇操作継続する必要がある。
【００１３】
しかして、第２刈刃装置自動退避用スイッチ４０を設け、この第２刈刃装置自動退避用スイッチ４０がＯＮした状態で刈取作業を行う場合において、刈取部昇降操作手段６による刈取部４の上昇操作が所定時間内に終了すると第２刈刃装置５は上昇しない。また、刈取部昇降操作手段６による刈取部４の上昇操作が所定時間以上継続して行われると、第２刈刃装置５を畦との接触を回避できる程度の高さまで上昇する。これによって、機体を旋回させても、前記刈取部４及び第２刈刃装置５が畦等に接触することがなく、破損を防止することができる。また、前記第２刈刃装置５が低い位置のままに保持されて未刈り穀稈を切り倒してしまうこともない。
【００１４】
また、前述のような刈取作業中、植立穀稈の丈の変化や倒伏状態の変化等に応じて、前記刈取部昇降操作手段６を操作して前記刈取部４の高さを調節する場合がある。しかし、このような場合における前記刈取部昇降操作手段６の操作時間は比較的短いため、第２刈刃装置５が上昇されることはない。
【００１５】
これによって、刈取作業中においては、前記第２刈刃装置５を常に低位置に保持することができ、第２刈刃装置５は圃場面から所定の微小距離浮上した位置に保持され、第１刈刃装置２によって刈り残した残稈の株元部を切断することができるようになり、残稈の刈り払いを円滑に行うことができる。以上のように、普通型コンバインによる刈取作業を効率良く行うことができると共に、前述の特公平５−６１８８７号公報に開示された技術に比してコストメリットの高い技術を具現することができるものである。
【００１６】
【実施例】
この発明の一実施例をコンバインを例に説明する。コンバインの機体は、機台フレ−ム８の上方に、扱胴１ａを内装する脱穀装置１、穀粒貯留装置９、操縦部１０、エンジン１１等を搭載し、また、前記機台フレ−ム８の下方左右両側には走行装置１２，１２を設けて車体１３を構成し、該車体１３の前方に刈取部４を昇降自在に設けて構成する。
【００１７】
前記刈取部４は、穀稈誘導枠体１４と搬送装置３とを主体に構成する。前記穀稈誘導枠体１４に対して、その前端両側には分草杆１５，１５を設け、またその底面前縁部にはバリカン形態の第１刈刃装置２を設け、またその第１刈刃装置２後方位置には搬送螺旋を有する穀稈集送装置１６を駆動回転自在に軸架し、またその第１刈刃装置２上方位置には掻込みリ−ル１７を駆動回転自在且つリ−ル上下シリンダ１８，１８及びリ−ル前後シリンダ１９，１９により上下位置調節可能及び前後位置調節可能に軸架して設ける。
【００１８】
また、前記搬送装置３は、無端状の搬送エレベ−タ２０を内装するもので、前記穀稈誘導枠体１４背面に開口する穀稈取込口２１にその前端を連通連結し、またその後端部は、前記脱穀装置１の穀稈供給口２２に連通すると共に該穀稈供給口２２近傍位置において上下回動自在に軸着する。そして、前記搬送装置３の前方部下面と前記機台フレ−ム８との間に刈取上下シリンダ２３を設ける。該刈取上下シリンダ２３の伸縮作動により、前記刈取部４が前記機台フレ−ム８に対して昇降する構成である。
【００１９】
そして、前記穀稈誘導枠体１４背面には、前記穀稈取込口２１の左右に配置して上下方向の左摺動支持部材２４、中摺動支持部材２５、右摺動支持部材２６を取り付ける。該左摺動部材２４はロ−ラ式、中摺動支持部材２５は摺接ボス式、右摺動支持部材２６は摺接ボス式である。そして、前記左摺動支持部材２４、中摺動支持部材２５、右摺動支持部材２６には、第２刈刃装置５の支持フレ−ム２７の３つの上下方向構成部を上下方向摺動自在に嵌合する。尚、該支持フレ−ム２７は、前記穀稈取込口２１上方を迂回するＵ字崩れ形状に構成し、左右両下端部に前記第２刈刃装置５を取付支持するものである。また、前記中摺動支持部材２５側部近傍位置には、前記穀稈誘導枠体１４と支持フレ−ム２７とを連結する如く、第２刈刃装置昇降用シリンダ２８と、該第２刈刃装置昇降用シリンダ２８の伸縮位置を検出するストロ−クセンサ２９とを上下方向姿勢に設ける。前記第２刈刃装置昇降用シリンダ２８が伸長することにより、前記第２刈刃装置５が穀稈誘導枠体１４に対して上昇する構成である。尚、３０は前記第２刈刃装置５へ駆動力を伝達する伸縮自在の伝動軸であり、入力プ−リ３１への駆動力の供給により駆動されるものである。該入力プ−リ３１への駆動力の供給は、前記エンジン１１から刈取クラッチを介装する適宜の伝動機構（図示せず）を介して行われる。
【００２０】
また、前記第２刈刃装置５には接地アクチュエ−タ３２を上下回動自在に取り付け、一方、前記支持フレ−ム２７には前記接地アクチュエ−タ３２から連動ロッド３３を介して作動される接地センサ３４を取り付ける。該接地センサ３４はＯＮ／ＯＦＦスイッチ式である。一方、前記操縦部１０には、メイン操作レバ−３５、及び変速レバ−（図示せず）を設ける。前記メイン操作レバ−３５は、前後方向の傾動により刈取部上昇用スイッチ３６及び刈取部下降用スイッチ３７をＯＮ／ＯＦＦさせ、また、左右方向の傾動により前記左右の走行装置１２，１２のいずれかを制動して機体を操向するものである。該メイン操作レバ−３５及び刈取部上昇用スイッチ３６、刈取部下降用スイッチ３７が刈取部昇降操作手段６である。
【００２１】
しかして、連繋手段７を構成するコントロ−ラ３８に対して、その入力側には前記メイン操作レバ−３５の刈取部上昇用スイッチ３６と刈取部下降用スイッチ３７、及び前記ストロ−クセンサ２９、接地センサ３４、第２刈刃装置高さ制御用スイッチ３９、第２刈刃装置自動退避用スイッチ４０を接続し、またその出力側には前記刈取上下シリンダ２３作動用電磁弁のソレノイド４１，４１、及び前記第２刈刃装置昇降用シリンダ２８作動用電磁弁のソレノイド４２，４２を接続する。
【００２２】
以上の構成により、刈取作業開始時には、前記メイン操作レバ−３５を前後方向へ傾動操作して前記刈取部４を適宜の刈取作業高さに設定すると共に、前記第２刈刃装置高さ制御用スイッチ３９をＯＮして第２刈刃装置５を前記穀稈誘導枠体１４から下降させて前記接地アクチュエ−タ３２が圃場面に軽く接触する状態とする。刈取作業中において前記接地アクチュエ−タ３２が中立範囲を越えて上下回動すると、これを前記連動ロッド３３を介して接地センサ３４が感知し、前記接地アクチュエ−タ３２の回動位置が中立範囲へ復帰すべく、前記コントロ−ラ３８から第２刈刃装置昇降用シリンダ２８作動用電磁弁のソレノイド４２／４２へ出力が行われる。これによって、前記第２刈刃装置５は圃場面から所定の微小距離浮上した位置に保持され、前記第１刈刃装置２によって刈り残された残稈の株元部を切断することができる。
【００２３】
更に、前記第２刈刃装置自動退避用スイッチ４０をＯＮした状態で刈取作業を行う場合に、刈取部を上昇させようとして前記メイン操作レバ−３５を後方傾動させることがある。しかし、該メイン操作レバ−３５の後方傾動操作が所定時間内に終了したとき、即ち前記刈取部上昇用スイッチ３６がＯＮしてから所定時間内にＯＦＦに戻った場合には、前記コントロ−ラ３８からソレノイド４２への出力は行われず、前記第２刈刃装置５は上昇しない。
【００２４】
ただし、圃場の一行程を刈り終えて旋回を行う場合には、前記メイン操作レバ−３５を後方傾動させて刈取部４を非作業位置まで上昇、退避させる。この場合、前記刈取部４の非作業位置までの上昇には所定の時間を要するため、このときのメイン操作レバ−３５の後方傾動操作も必然的に所定時間以上の比較的長い時間となる。このように、メイン操作レバ−３５の後方傾動、即ち前記刈取部上昇用スイッチ３６のＯＮ状態が所定時間以上にわたって前記コントロ−ラ３８に入力された場合、該コントロ−ラ３８から前記ソレノイド４２へ出力が行われる。これによって、前記第２刈刃装置昇降用シリンダ２８が伸長し、前記第２刈刃装置５を穀稈誘導枠体１４に対して上昇させ、畦と接触しない程度の退避位置へ移動させる。この第２刈刃装置昇降用シリンダ２８への出力は、前記ストロ−クセンサ２９による検出結果が前記退避位置を検出するものとなった時点で停止する。
【００２５】
この後、前記メイン操作レバ−３５を左右傾動して機体を操向し、次の刈取行程へと向かうのである。ここで、前記脱穀装置１を次のように構成してもよい。即ち、前記扱胴１ａの外周に張設する受網４３を、扱胴長手方向において３分割し、前部の受網４３ａの扱胴包囲角αに対して、中間部の受網４３ｂの扱胴包囲角β及び後部の受網４３ｃの扱胴包囲角γを大なる構成とするものである。尚、前記中間部の受網４３ｂの扱胴包囲角βに対して後部の受網４３ｃの扱胴包囲角γを更に大なる構成とするもよい。
【００２６】
脱穀作業においては、扱胴１ａ前部付近において被処理物の詰りを生じやすい。これに対して、前記のように構成することにより、前部の受網４３ａの扱胴包囲角αを小さくして該前部の受網４３ａが被処理物に与える抵抗を少なくし、該前部の受網４３ａ部での詰りを防ぐことができる。また、該前部の受網４３ａより後方の、中間部の受網４３ｂ及び後部の受網４３ｃの扱胴包囲角β，γを大きくすることにより、被処理物を円滑に脱穀、漏下させることができる。
【００２７】
即ち、被処理物量の多い前部では受網面積を小さくし、被処理物が少なくなる後部ほど受網面積を大きくして、被処理物が受網４３に与える抵抗を受網４３全体に分散するのである。これによって、前述の被処理物の脱穀、漏下の円滑化ばかりでなく、受網４３自体の耐久性の向上も達せられるのである。
【図面の簡単な説明】
【図１】この発明の一実施例における作用説明用側面図である。
【図２】この発明の一実施例における作用説明用側面図である。
【図３】この発明の一実施例における要部の背面図である。
【図４】この発明の一実施例におけるブロック回路図である。
【図５】この発明の一実施例における一部の説明用側面図である。
【図６】図５におけるＳ１−Ｓ１断面図である。
【図７】図５におけるＳ２−Ｓ２断面図である。
【図８】この発明の一実施例における一部の説明用側面図である。
【図９】図８におけるＳ１−Ｓ１断面図である。
【図１０】図８におけるＳ２−Ｓ２断面図である。
【図１１】図８におけるＳ３−Ｓ３断面図である。
【符号の説明】
１    脱穀装置
２    第１刈刃装置
３    搬送装置
４    刈取部
５    第２刈刃装置
６    刈取部昇降操作手段
７    連繋手段
２７ 支持フレーム
３２ 接地アクチュエータ
３３ 連動ロッド
３４ 接地センサ
４０ 第２刈刃装置自動退避用スイッチ
【図１】
0003564724.tif 000002
【図２】
0003564724.tif 000003
【図３】
0003564724.tif 000004
【図４】
0003564724.tif 000005
【図５】
0003564724.tif 000006
【図６】
0003564724.tif 000007
【図７】
0003564724.tif 000008
【図８】
0003564724.tif 000009
【図９】
0003564724.tif 000010
【図１０】
0003564724.tif 000011
【図１１】
0003564724.tif 000012